(57)【要約】【目的】リュウキュウスガモ、アマモ等の海草類１の海底３への定着性を向上させることができるリュウキュウスガモ、アマモ等の海草類の共生基材５、共生体、および共生群の生育方法の提供を目的とする。【構成】サンゴ幼生が着床しやすい材料により形成され、リュウキュウスガモ、アマモ等の海草類１の地下茎２を海底３に固定させる地下茎支持部４を備えてリュウキュウスガモ、アマモ等の海草類の共生基材５を構成する。  また、サンゴ６により形成され、リュウキュウスガモ、アマモ等の海草類１の地下茎２を海底３に固定させる地下茎支持部４を備えてリュウキュウスガモ、アマモ等の海草類の共生基材５を構成する。【選択図】  図１
2005245208.tif 000002
【特許請求の範囲】
【請求項１】
サンゴ幼生が着床しやすい材料により形成され、リュウキュウスガモ、アマモ等の海草類の地下茎を海底に固定させる地下茎支持部を備えたリュウキュウスガモ、アマモ等の海草類の共生基材。
【請求項２】
サンゴにより形成され、リュウキュウスガモ、アマモ等の海草類の地下茎を海底に固定させる地下茎支持部を備えたリュウキュウスガモ、アマモ等の海草類の共生基材。
【請求項３】
請求項１または２記載の共生基材にリュウキュウスガモ、アマモ等の海草類の地下茎を絡ませて形成される共生体。
【請求項４】
請求項１または２記載の共生基材に地下茎を絡ませてリュウキュウスガモ、アマモ等の海草類を海底に植設する共生群の生育方法。
【発明の詳細な説明】
【技術分野】
【０００１】
本発明は、リュウキュウスガモ、アマモ等の海草類の共生基材、共生体、および共生群の生育方法に関するものである。
【背景技術】
【０００２】
従来、リュウキュウスガモ、アマモ等の海草類を海底に固定するものとしては、特許文献１に記載されたものが知られている。この従来例において、アマモの苗は、崩壊性モルタル性ブロック体を鉛直方向に貫通する孔に挿通され、ブロック体を海底砂面上に載置することにより海底に固定される。ブロック体は、アマモの苗を支えて海底砂面への着生を促すとともに、苗が着生する頃には崩壊することから自然環境にあまり影響を与えることがない。
【特許文献１】特開２００３-８８２６０号公報
【発明の開示】
【発明が解決しようとする課題】
【０００３】
しかしながら、上記従来例においては、アマモの海底への固定がブロック体の崩壊までの期間、すなわち苗が着生するまでの植え付け初期に限られるために、アマモの海底への定着性が悪いという欠点を有する。
【０００４】
本発明は、以上の欠点を解消すべくなされたものであって、リュウキュウスガモ、アマモ等の海草類の海底への定着性を向上させることができるリュウキュウスガモ、アマモ等の海草類の共生基材、共生体、および共生群の生育方法の提供を目的とする。
【課題を解決するための手段】
【０００５】
本発明者は、琉球地方の沿岸に藻場（アマモ場）を形成する熱帯性海草類の一つであるリュウキュウスガモが、造礁サンゴの一つであるエダコモンサンゴと混生してアマモ場を形成していることを観察し、リュウキュウスガモとエダコモンサンゴとが相利共生の関係にあることを見出した。すなわち、リュウキュウスガモの地下茎とエダコモンサンゴが絡まり合うことで互いの生育基盤をより安定させて波や流れによる底質の洗掘を防ぐことができ、また、互いに集まりほぼ同じ高さになることで台風などによる波浪の影響を低減させることができる。さらに、サンゴやサンゴ礫をリュウキュウスガモが取り囲むことにより死サンゴの細分化を防ぎ、波や流れによる底質の空隙率の低下を緩やかにしてリュウキュウスガモの地下茎への酸素供給を容易にしている。
【０００６】
本発明は以上の知見、分析に基づいてなされたものであって、
サンゴ幼生が着床しやすい材料により形成され、リュウキュウスガモ、アマモ等の海草類１の地下茎２を海底３に固定させる地下茎支持部４を備えたリュウキュウスガモ、アマモ等の海草類の共生基材５を提供することにより上述した目的を達成するものである。
【０００７】
本発明によれば、リュウキュウスガモ、アマモ等の海草類１とサンゴ６との共生を促進させることができるために、サンゴ６により、さらにはリュウキュウスガモ、アマモ等の海草類１が生長に伴ってサンゴ６に対して地下茎２等を絡めることにより、リュウキュウスガモ、アマモ等の海草類１が単独で生息する場合に比して、生育基盤が安定し、底質に作用する波や流れなどの影響を低減することができる。したがって、底質の洗掘によるリュウキュウスガモ、アマモ等の海草類１の流失をサンゴ６の生長以後永続的に防止することができ、海底３への定着性を向上させることができる。また、リュウキュウスガモ、アマモ等の海草類１とサンゴ６を共生させることにより、相互の自然繁殖力によって、自然環境を害することなく、密度の高い安定したアマモ場の形成、拡大を図ることができる。
【０００８】
この明細書において、「地下茎２」とは、リュウキュウスガモ、アマモ等の海草類１の葉と根を結ぶ茎部分であってリュウキュウスガモ、アマモ等の海草類１の生育地盤内に配置され、生育に伴って略水平方向に伸びるものを指す。また、「リュウキュウスガモ、アマモ等の海草類１」とは、上記地下茎２を備える海草類、例えば、リュウキュウスガモ、リュウキュウアマモ、ベニアマモ、ボウバアマモ等の沖縄などの南西諸島近隣に繁茂する熱帯性海草類や、アマモ、コアマモ等の日本各地に繁茂する海草類を指す。
【０００９】
共生基材５の材料としては、サンゴ卵の受精により生まれるサンゴ幼生（プラヌラ幼生）が着床しやすい凹凸や孔等を備えた種々のもの、例えば素焼きやポーラスコンクリートブロックなどを使用することが可能であり、サンゴ幼生からサンゴ６への生育期間を確保できれば生分解性や崩壊性を備えるものであってもよい。また、共生基材５として生物を用いることも可能であり、サンゴ６自体を共生基材５とした場合には、サンゴ幼生の着床やサンゴ幼生からサンゴ６への生長の期間などを待つことなく、直ちに共生状態をつくることができる。さらに、地下茎支持部４とサンゴ幼生の着床部とを異なる材料で形成した複合材として共生基材５を構成したり、あるいは、素焼き等の共生基材５に予めサンゴ幼生やサンゴ６を着床、固定しておくことも可能である。
【００１０】
また、地下茎支持部４によりリュウキュウスガモ、アマモ等の海草類１の地下茎２を海底３に固定することにより、固定状態におけるこれらの生長に対する影響を極めて少なくすることが可能となる。すなわち、リュウキュウスガモ、アマモ等の海草類１は、地下茎２を略水平方向に伸ばし、ここから葉や地上茎、あるいは垂直地下茎などを略鉛直方向に伸ばして生長する。このため、例えば共生基材５に逆Ｕ字形状などの地下茎支持部４を形成し、この地下茎支持部４により地下茎２の茎（軸）周りを上方から押さえつけるようにしてリュウキュウスガモ、アマモ等の海草類１を海底３に固定した場合には、水平方向への伸長を妨げることがないために、生長を阻害することなく共生基材５と共存させることができる。また、特にリュウキュウスガモ、リュウキュウアマモ、ベニアマモ等の熱帯性海草類は、地下茎２が海底３地盤内の比較的深いところにあるために、群生により地下茎２が錯綜するアマモ場において、仮にある一方の株の地下茎２が他方の株に対する地下茎支持部４に接触し、屈性により上方に曲がったとしても、この一方の株の地下茎２が海底３から容易に飛び出してしまうことはない。
【００１１】
さらに、上述したように、サンゴ６を共生基材５として活用した場合には、生サンゴであれば上記共生効果を発揮させ、死サンゴであればリュウキュウスガモ、アマモ等の熱帯性海草類１に対して自然の育成環境を提供することができる。すなわち、リュウキュウスガモ、アマモ等の熱帯性海草類１は、サンゴ礫の混じるような砂地に生育するために、死サンゴを共生基材５とすることにより、生育に適した環境を擬似的に作り出すことができる。
【００１２】
また、以上の共生基材５にリュウキュウスガモ、アマモ等の海草類１の地下茎２を絡ませて共生体を形成することも可能であり、地下茎２を絡ませることによりリュウキュウスガモ、アマモ等の海草類１が共生基材５と一体になるために運搬、取り扱いが容易で、かつ、そのまま海底３に固定するだけでリュウキュウスガモ、アマモ等の海草類１を海底３に植え付けることができる。
【００１３】
さらに、以上の共生基材５に地下茎２を絡ませてリュウキュウスガモ、アマモ等の海草類１を海底３に植設し、共生群を生育する、すなわちアマモ場を形成する場合には、リュウキュウスガモ、アマモ等の海草類１の生長に伴って複数の株の地下茎２や根が相互に絡まるとともに、これらがさらに共生基材５にも絡まるために、より生育基盤を安定させることができる。また、リュウキュウスガモ、アマモ等の海草類１を群生させることにより、共生するサンゴ６をリュウキュウスガモ、アマモ等の海草類１で取り囲むことができる。これにより、死サンゴの細分化を防ぐことができ、底質の空隙率の急激な低下が防止されることにより、リュウキュウスガモ、アマモ等の海草類１の地下茎２への酸素供給を良好にすることができる。
【発明の効果】
【００１４】
以上の説明から明らかなように、本発明によれば、リュウキュウスガモ、アマモ等の海草類の海底への定着性を向上させることができる。これにより、植え付けの信頼性が高められ、海域緑化、生態系の保全・修復に寄与することができるために、環境保全、あるいは発電所建設や港湾整備等を行う際の環境修復に貢献することができる。
【発明を実施するための最良の形態】
【００１５】
図１および図２に本発明の第一の実施の形態を示す。沖縄沿岸の砂質域にリュウキュウスガモ１を植設してアマモ場を造成するために、この実施の形態においては、予め近隣の海域に生息するエダコモンサンゴ６から適宜大きさの生きたサンゴ片（共生基材５）が採取され、リュウキュウスガモ１の苗の地下茎２を組み付けた状態で上記サンゴ片５を海底３に固定することにより、リュウキュウスガモ１が海底３に植え付けられる。なお、苗を植え付ける海底３、すなわちアマモ場の造成地は、リュウキュウスガモ１の生育に適した波、流れなどの水理条件、生育地盤の安定性、水中光量・水温・栄養塩濃度などにより規定される光合成環境等の諸条件を複合的に解析して選定される。
【００１６】
リュウキュウスガモ１は、リーフによって消波される砂質域にアマモ場と呼ばれる群落を形成する熱帯性海草類であり、沖縄周辺では基本的に沖合から沿岸にかけてサンゴ礁と干潟に挟まれて連続的かつ一体的に分布し、多様な生物の生息域を形成する。このリュウキュウスガモ１は、一般に浅瀬の砂地、泥地内を略水平方向に走る地下茎２から鉛直方向に伸びる葉１ａを海中に漂わせて繁茂し、地下茎２の下方には細かい根１ｂ（ヒゲ根）が砂等をつかむようにして張り巡らされる。上記地下茎２は、生育に伴って海底地盤１０内を５〜２０ｃｍ程度の深さで水平方向に伸長し、葉１ａや根１ｂは、地下茎２の生育に伴い、それぞれ適宜間隔を隔てて地下茎２から順次伸びる。したがって、リュウキュウスガモ１によるアマモ場は、一般に、波が比較的穏やかで適度の太陽光が照射する浅瀬の海域に形成され、リュウキュウスガモ１の地下茎２が伸長することにより、勢力、すなわち分布域を拡大する。
【００１７】
また、エダコモンサンゴ６は、ミドリイシ科の造礁サンゴであり、適度の太陽光が照射する沖縄周辺の礁池などの波が比較的穏やかな浅瀬に生息する。このエダコモンサンゴ６は、枝状をなし、生長速度が他のサンゴに比して速い。
【００１８】
以上のリュウキュウスガモ１とエダコモンサンゴ６とは、図１（ａ）において一点鎖線の矢印で示すように、リュウキュウスガモ１の地下茎２をエダコモンサンゴ６のサンゴ片５の枝の間に形成される略水平方向に開放する空隙からなる開口部１1に挿通させることにより、一体に組み付けられる。この組み付けにより形成される共生移植ユニット（共生体）は、リュウキュウスガモ１の苗とサンゴ片５との組み合わせサイズを調整することにより、リュウキュウスガモ１の苗の上端とサンゴ片５の上端がほぼ揃えられ、また、サンゴ片５の下端がリュウキュウスガモ１の苗の下端よりも下方に突出して形成される。
【００１９】
上記共生移植ユニットの海底３への固定は、以下に示す手順によりなされる。なお、植え付けに際しては、下準備として、予め地上等においてリュウキュウスガモ１の苗とサンゴ片５を組み付けて共生移植ユニットを形成しておき、船等によってアマモ場造成地のある海域まで運ぶことによりなされる。
【００２０】
まず最初に、図１（ｂ）に示すように、ダイバー１2により砂質層からなる海底地盤１０が掘り起こされ、リュウキュウスガモ１の苗の地下茎２が５〜２０ｃｍ程度の深さに配置できる程度であって、共生移植ユニットを海底２に固定できる程度の深さを備えた穴１３が形成される。リュウキュウスガモ１の苗の植え付けは、次いで、この穴１３の底にダイバー１2によって共生移植ユニットが載置された後、穴１３が埋め戻されてサンゴ片５が海底３に固定されることによりなされる。
【００２１】
埋め戻しは、サンゴ片５の開口部１1をほぼ水平方向に向けて開放させてリュウキュウスガモ１の地下茎２を略水平姿勢にするとともに、リュウキュウスガモ１の苗を略直立姿勢にした状態のままで、砂によって穴１３を埋めることによってなされる。図２（ａ）に示すように、この埋め戻しにより、サンゴ片５は下部が海底地盤１０内に埋められて海底３に固定され、一方、リュウキュウスガモ１の苗は、地下茎２が自然の生育状態と同じ海底地盤１０内５〜２０ｃｍ程度の深さにおいて略水平に配置されて海底３に立設する。また、このとき地下茎２は、サンゴ片５の開口部１1の上端縁および両側縁を構成する一対の枝１４、１４（地下茎支持部４）により上方を跨がれるようにして囲まれた状態となる。したがって、仮に波等によってリュウキュウスガモ１の苗が上方に引っ張られたとしても、サンゴ片５の枝１４、１４に地下茎２が係止するために、海底３からリュウキュウスガモ１の苗が容易に抜けてしまうことはない。
【００２２】
また、植え付け後のリュウキュウスガモ１の苗は、サンゴ片５の下部が地下茎２や根１ｂと近接して海底地盤１０内に埋められるために、生育地盤が安定する。さらに、リュウキュウスガモ１の苗の葉１ａが波などによって受ける水圧は、ほぼ同じ高さまで海中に突出するサンゴ片５の上部によって軽減される。したがって、植え付けられたリュウキュウスガモ１の苗が波等によって容易に流失してしまうことはない。なお、リュウキュウスガモ１の苗とサンゴ片５であるエダコモンサンゴ６とは、互いにほぼ同じ高さになることで太陽光を競合することなく生育する。
【００２３】
さらに、この後、次第に海底地盤１０に馴染むと、図２（ｂ）に示すように、リュウキュウスガモ１は、地下茎２や根１ｂを海底地盤１０内に張り巡らせ、サンゴ片５にもより絡みつき、また同時にサンゴ片５であるエダコモンサンゴ６もより海底地盤１０にしっかりと着生することから、これらの相乗効果によって海底３にさらにしっかりと安定する。
【００２４】
加えて、リュウキュウスガモ１の苗が生育に伴って地下茎１を伸ばして勢力を拡大することにより、近接して植え付けられた株同士が互いの地下茎２を絡ませるために、さらに生育地盤を安定させながらアマモ場が形成される。また同時に、エダコモンサンゴ６も次第に生長して勢力を拡大し、アマモ場に重なるようにしてサンゴ礁を形成する。さらに、リュウキュウスガモ１やエダコモンサンゴ６は、その種子や、破損により生じたサンゴ破片が、海底地盤１０に高密度に群生するリュウキュウスガモ１やエダコモンサンゴ６により支えられて流失が防がれるために、繁殖効率が高められる。加えて図２（ｂ）に示すように、エダコモンサンゴ６から生じる死サンゴ２２もリュウキュウスガモ１の地下茎２等により支えられ、細分化が防止されるために、底質の空隙率の低下が緩やかになり、リュウキュウスガモ１の地下茎２への酸素供給が確保される。
【００２５】
なお、この実施の形態においては、下部を海底３に埋めることによりエダコモンサンゴ６を固定する場合を示したが、アマモ場の造成地における水流の程度によっては、ペグ等をエダコモンサンゴ６に係止させた状態で海底３に打ち込むことにより、エダコモンサンゴ６を固定してもよい。この場合、共生移植ユニットは、リュウキュウスガモ１の苗、サンゴ片５、および上記ペグにより構成される。
【００２６】
図３（ａ）に本発明の第二の実施の形態を示す。なお、この実施の形態において上述した実施の形態と同一の構成要素は図中に同一の符号を付して説明を省略する。この実施の形態において、リュウキュウスガモ１の植え付けは、付着基盤１５を取り付け可能な基盤支持台（共生基材５）をリュウキュウスガモ１と一体に組み付けて海底３に固定することによりなされる。
【００２７】
上記基盤支持台５は、素焼きの陶器などサンゴ幼生が付着しやすい材料により形成され、図３（ｂ）に示すように、蛸足形状に形成される脚片１６、１６・・と、この脚片１６、１６・・の基端部に形成される基部（地下茎支持部４）とを有する。基部４は、脚片１６、１６・・の基端部から先細り状に立ち上がる截頭円錐形状であり、上面には上記付着基盤１５を取り付けるための取付穴１７が形成される。
【００２８】
付着基盤１５は、図３（ａ）に示すように、ガラスの発泡ボードや素焼きの陶器等、表面が粗面あるいは多孔質構造でサンゴ幼生が付着しやすい材料により形成される平板材であり、中央部には上記基盤支持台５に取り付けるための透孔１８が穿孔される。この付着基盤１５には、予め陸上の施設等において付着されたサンゴ幼生が変態したポリプ１９が定着する。
【００２９】
したがってこの実施の形態において、共生移植ユニット（共生体）は、リュウキュウスガモ１の苗と、基盤支持台５と、ポリプ１９が定着した付着基盤１５とにより構成され、図３（ａ）に示すように、付着基盤１５を取り付けた基盤支持台５の脚片１６、１６・・の隙間にリュウキュウスガモ１の地下茎２を差し込むことにより形成される。この共生移植ユニットの海底３への固定は、海底３を掘り起こして予め図示しない穴を形成しておき、付着基盤１５を取り付けずに基盤支持台５をこの穴、すなわち海底３に打ち込むことによりなされる。
【００３０】
基部４の取付穴１７を上方に向けて基盤支持台５を穴１３に打ち込むと、脚片１６、１６・・は海底地盤１０を構成する砂質層１０ａを貫通してその下方の硬質層１０ｂに突き刺さる。リュウキュウスガモ１の苗は、脚片１６に側方への移動を規制され、かつ、下方が開放した状態で上方から基部４によって押さえつけられることにより、海底３に対して強固に固定される。この後、穴を埋め戻すと、図３（ａ）に示すように、リュウキュウスガモ１は自然の生育状態となり、基盤支持台５は基部４の上部がリュウキュウスガモ１の上端近傍の高さまで海中に突出した状態となる。
【００３１】
次いで、海中に露出する基盤支持台５の取付穴１７に図外のボルト等によって付着基盤１５を固定することによりリュウキュウスガモ１の植え付けは終了する。この状態において、リュウキュウスガモ１の生育基盤は、海底３に打ち込まれる基盤支持台５によって安定し、また、リュウキュウスガモ１の葉１ａが受ける波等による水圧も、海中に突出する基盤支持台５により軽減される。さらに、この後、ポリプ１９が生長してサンゴ６になり、繁殖していけば、上述した実施の形態と同じようにサンゴ６とリュウキュウスガモ１の共生効果が発揮される。
【００３２】
なお、以上においては付着基盤１５を取り付ける基盤支持台５をサンゴ幼生が比較的付着しやすい材料により形成する場合を示したが、基盤支持台５をコンクリート等により形成することも可能であり、この場合には、付着基盤１５を含めた基盤支持台が共生基材５として構成される。
【００３３】
図３（ｂ）に本発明の第三の実施の形態を示す。なお、この実施の形態において上述した実施の形態と同一の構成要素は図中に同一の符号を付して説明を省略する。この実施の形態において、リュウキュウスガモ１の植え付けは、リュウキュウスガモ１の地下茎２を挿通可能な孔２０を備え、ペグ２１を連結可能に形成される素焼きの筒状部材（共生基材５）をリュウキュウスガモ１と一体に組み付けて海底３に固定することによりなされる。
【００３４】
上記筒状部材５は、サンゴ幼生が付着しやすい素焼き等により円筒状に形成され、周壁には、高さ方向に散らばるようにして多数の円形の孔２０、２０・・が水平方向に貫通して開設される。また、この筒状部材５の下端部にはペグ２１を連結可能な図示しない被取付部が形成され、図３（ｂ）に示すように、ペグ２１に形成される取付部２１ａにより、ペグ２１が筒状部材５の下方に突出して取り付けられる。
【００３５】
したがってこの実施の形態において、共生移植ユニット（共生体）は、リュウキュウスガモ１の苗と、筒状部材５と、ペグ２１とにより構成され、図３（ｂ）に一点鎖線で示すように、ペグ２１を取り付けた筒状部材５の孔２０に対してリュウキュウスガモ１の苗の地下茎２を差し込むことにより形成される。この際、孔２０が筒状部材５の高さ方向における異なる位置に複数形成されるために、高さを変えることにより、リュウキュウスガモ１を筒状部材５に対して独立して複数連結することができる。
【００３６】
この共生移植ユニットの海底３への固定は、サンゴ６の生息海域近傍の海底３を掘り起こして図示しない穴を形成し、ペグ２１をこの穴、すなわち海底３に打ち込むことによりなされる。海底３基盤内に打ち込まれたペグ２１は、図外の海底地盤１０を構成する硬質層１０ｂに突き刺さって海底２にしっかりと固定され、筒状部材５は、海底地盤１０に打ち込まれたペグ２１によって下方に引っ張られることで、同じく海底２にしっかり固定される。さらにリュウキュウスガモ１の苗は、地下茎２の茎（軸）周りを直交方向から全周に渡って筒状部材５の孔２０周りの壁面（地下茎支持部４）によって支持されることから、海底３に対して強固に固定される。この後穴を埋め戻すと、リュウキュウスガモ１の苗は自然の生育状態となり、筒状部材５は下部が海底地盤１０内に、上部が海中に突出した状態となる。
【００３７】
この状態において、リュウキュウスガモ１の苗の生育基盤は、海底３に埋設される筒状部材５の下部によって安定し、また、リュウキュウスガモ１の苗の葉１ａが波等によって受ける水圧も、海中に突出する筒状部材５の上部により軽減される。さらに、この後、サンゴ６の産卵時期にサンゴ幼生が筒状部材５に付着し、生長してサンゴ６になれば、上述した実施の形態と同じようにサンゴ６とリュウキュウスガモ１の共生効果が発揮される。
【００３８】
なお、この実施の形態においては、筒状部材５にサンゴ幼生を付着させることにより、リュウキュウスガモ１とサンゴ６との共生を図る場合を示したが、筒状部材５に対して予めサンゴ片を固定することにより共生を図ることもできる。
【００３９】
また、以上の第一から第三まで実施の形態においては、生きたサンゴ片や素焼きの陶器などを共生基材５として使用する場合を示したが、これらに代えて死サンゴを使用することもできる。
【図面の簡単な説明】
【００４０】
【図１】本発明の第一の実施の形態を示す図で、（ａ）は、リュウキュウスガモの苗とエダコモンサンゴのサンゴ片による共生移植ユニットの形成方法を示す図、（ｂ）は共生移植ユニットの海底への固定作業を示す図である。
【図２】エダコモンサンゴによるリュウキュウスガモの地下茎の支持状態を示す図で、（ａ）はサンゴ片による支持状態を示す要部断面図、（ｂ）はリュウキュウスガモとエダコモンサンゴの共生状態を示す図である。
【図３】他の実施の形態を示す図で、（ａ）は本発明の第二の実施の形態における共生移植ユニットの海底への固定状態を示す図、（ｂ）本発明の第三の実施の形態における共生移植ユニットの分解図である。
【符号の説明】
【００４１】
１  リュウキュウスガモ、アマモ等の海草類
２  地下茎
３  海底
４  地下茎支持部
５  共生基材
６  サンゴ
【図１】
2005245208.tif 000003
【図２】
2005245208.tif 000004
【図３】
2005245208.tif 000005